(57)【要約】【課題】オートドキュメントフィーダ装置を備える画像読取装置において、開閉カバー側に備えるローラを駆動するための歯車噛合部分において異音や歯飛びを防止する。【解決手段】ＡＤＦ部１４は、本体部１９と、この本体部１９に備えられる駆動伝達フレーム３１と、この駆動伝達フレーム３１に支持される繰込出力ギア３３と、開閉自在となるように本体部１９に支持されるカバー部材２３と、このカバー部材２３に支持されるとともに、カバー部材２３を閉じたときに繰込出力ギア３３に噛合する繰込入力ギア４３と、を備える。駆動伝達フレーム３１には凹部３４を形成し、この凹部３４には、カバー部材２３を閉じたときに繰込入力ギア４３の軸部を収容可能に構成されている。この凹部３４には繰込入力ギア４３を案内するための円弧状の側壁部３５，３６が形成され、この側壁部３５，３６の円弧中心は繰込出力ギア３３の軸心に一致している。【選択図】図３
2008131073.tif 000002
【特許請求の範囲】
【請求項１】
自動原稿送り装置を備える画像読取装置において、
前記自動原稿送り装置は、
本体と、
この本体に備えられるギア支持体と、
このギア支持体に支持される駆動ギアと、
開閉自在となるように前記本体に支持されるカバー部材と、
このカバー部材に支持されるとともに、当該カバー部材を閉じたときに前記駆動ギアに噛合する従動ギアと、
を備え、
前記ギア支持体には凹部を形成し、この凹部には、前記カバー部材を閉じたときに前記従動ギアの軸部又は前記従動ギアの支持軸を収容可能に構成されており、
前記凹部の輪郭は前記従動ギアを案内するための円弧部を含み、この円弧部の円弧中心が前記駆動ギアの軸心に一致していることを特徴とする画像読取装置。
【請求項２】
請求項１に記載の画像読取装置であって、
前記凹部の輪郭は少なくとも２つの円弧部を有しており、
前記カバー部材を閉じたときに、前記従動ギアの軸部又は前記従動ギアの支持軸は、前記２つの円弧部に挟まれるようにして前記凹部に収容されることを特徴とする画像読取装置。
【請求項３】
請求項１又は２に記載の画像読取装置であって、
前記カバー部材は長孔状の支持孔を備え、この支持孔に前記従動ギアが支持されており、
前記支持孔は、前記従動ギアの前記円弧部に沿う方向の移動を規制するように形成されていることを特徴とする画像読取装置。
【請求項４】
請求項１から３までの何れか一項に記載の画像読取装置であって、
原稿繰込部を構成するローラを前記カバー部材に備え、
このローラは、前記駆動ギアから前記従動ギアに伝達される駆動力によって駆動されることを特徴とする画像読取装置。
【請求項５】
請求項１から４までの何れか一項に記載の画像読取装置としてのファクシミリ装置。
【発明の詳細な説明】
【技術分野】
【０００１】
本発明は、自動原稿送り装置を備える画像読取装置の構成に関する。詳細には、開閉自在なカバーを前記自動原稿送り装置に備えるとともに、原稿搬送のために駆動されるローラを前記カバー側に備えた構成の画像読取装置に関する。
【背景技術】
【０００２】
特許文献１は、開閉可能なカバーをスキャナベースに備えるとともに、読取ローラと、この読取ローラの軸に固着されるギアが、カバーの開閉と同時に開閉される構成の画像読取装置を開示する。この画像読取装置では、前記スキャナベース側にＵ字溝が備えられており、前記カバーが閉じられたときには、前記読取ローラの軸がＵ字溝に入ることで前記ギアが案内され、スキャナベース側の伝動ギアと噛合する構成になっている。特許文献１は、この構成により、ジャム原稿や読取ローラの清掃が容易になるとする。
【特許文献１】特開平８−２２３３６２号公報
【発明の開示】
【発明が解決しようとする課題】
【０００３】
しかし、上記特許文献１の構成は、前記カバーの組付誤差や寸法誤差、温度変化による膨張又は収縮等により、前記ギアと伝動ギアとの軸間距離を精度良く保持することが難しかった。従って、カバーを閉じた状態でギアと伝動ギアとの良好な噛合状態が得られず、駆動時の歯飛びや異音が生じることがあり、この点で改善の余地が残されていた。
【課題を解決するための手段及び効果】
【０００４】
本発明の解決しようとする課題は以上の如くであり、次にこの課題を解決するための手段とその効果を説明する。
【０００５】
本発明の観点によれば、自動原稿送り装置を備える画像読取装置の以下の構成が提供される。即ち、前記自動原稿送り装置は、本体と、この本体に備えられるギア支持体と、このギア支持体に支持される駆動ギアと、開閉自在となるように前記本体に支持されるカバー部材と、このカバー部材に支持されるとともに、当該カバー部材を閉じたときに前記駆動ギアに噛合する従動ギアと、を備える。前記ギア支持体には凹部を形成し、この凹部には、前記カバー部材を閉じたときに前記従動ギアの軸部又は前記従動ギアの支持軸を収容可能に構成されている。前記凹部の輪郭は前記従動ギアを案内するための円弧部を含み、この円弧部の円弧中心が前記駆動ギアの軸心に一致している。
【０００６】
これにより、カバー部材の閉鎖時には従動ギアが駆動ギアに噛合するので、本体側の駆動力でカバー部材側の機構を適切に駆動できるとともに、カバー部材を開放することによりジャム原稿を簡単に除去することができる。そして、カバー部材の閉鎖時にはギア支持体の凹部に従動ギアの軸部又は従動ギアの支持軸が収容され、この凹部の備える円弧部によって、従動ギアが駆動ギアに対し常に一定の軸間距離となるように案内される。従って、従動ギアと駆動ギアとの良好な噛合状態を安定的に確保でき、駆動時に噛合部で歯飛びや異音が発生するのを防止できる。
【０００７】
前記の画像読取装置においては、以下のように構成することが好ましい。即ち、前記凹部の輪郭は少なくとも２つの円弧部を有している。そして、前記カバー部材を閉じたときに、前記従動ギアの軸部又は前記従動ギアの支持軸は、前記２つの円弧部に挟まれるようにして前記凹部に収容される。
【０００８】
これにより、従動ギアの軸部又は従動ギアの支持軸が２つの円弧部に挟まれることで、従動ギアが駆動ギアに対し常に一定の軸間距離となるように案内（規制）される。従って、従動ギアと駆動ギアとの良好な噛合状態を実現するための簡素な構成を実現できる。
【０００９】
前記の画像読取装置においては、以下のように構成することが好ましい。即ち、前記カバー部材は長孔状の支持孔を備え、この支持孔に前記従動ギアが支持されている。前記支持孔は、前記従動ギアの前記円弧部に沿う方向の移動を規制するように形成されている。
【００１０】
これにより、カバー部材を閉じるときには、長孔状の支持孔に沿って従動ギアを移動させることで、円弧部を有する凹部によって従動ギアを円滑に案内させることができる。また、カバー部材を閉じた状態では、従動ギアは凹部の円弧部及び前記支持孔によって移動が規制されるので、従動ギアの回転のガタつきを防止して円滑に駆動することができる。
【００１１】
前記の画像読取装置においては、以下のように構成することが好ましい。即ち、原稿繰込部を構成するローラを前記カバー部材に備える。このローラは、前記駆動ギアから前記従動ギアに伝達される駆動力によって駆動される。
【００１２】
この構成により、原稿繰込部を異音や歯飛びなくスムーズに駆動できるとともに、カバー部材の開放時にはローラが本体から離間することで、原稿繰込部で発生するジャム原稿を簡単に取り除くことができる。
【００１３】
また、本発明の他の観点によれば、前記の画像読取装置としてのファクシミリ装置が提供される。
【発明を実施するための最良の形態】
【００１４】
次に、発明の実施の形態を説明する。図１は本発明の一実施形態に係るコピーファクシミリ複合機の全体的な構成を示した正面図、図２はオートドキュメントフィーダ部を背面側からみた断面拡大図、図３はカバー部材を開放した状態を示す断面拡大図である。
【００１５】
図１に示す画像読取装置としてのコピーファクシミリ複合機１０は、コピー原稿やファクシミリ送信原稿を読み取る画像読取部１１と、この画像読取部１１で読み取った原稿内容やファクシミリ受信内容等の画像を用紙に形成する画像形成部１２と、を備えている。
【００１６】
前記画像読取部１１はフラットベッド・オートドキュメントフィーダ兼用のスキャナに構成されており、フラットベッド部１３及びオートドキュメントフィーダ部（自動原稿送り装置）１４を備える。そしてオートドキュメントフィーダ部１４は、シート状の読取原稿を複数枚積層してセット可能な原稿トレイ１５と、この読取原稿を１枚ずつ分離して所定の読取位置を通過するように搬送する搬送機構１６と、この搬送機構１６を通過して排出された読取原稿を載置する排出トレイ１７と、を備えている。
【００１７】
搬送機構１６は、原稿搬送経路１８を内部に形成する本体部１９を備える。この本体部１９には、読取原稿をピックアップして原稿搬送経路１８へ供給するピックアップローラ２０や、読取原稿を１枚ずつ分離する分離ローラ２１や、読取原稿を排出トレイ１７へ排出する排出ローラ２２等、各種の搬送ローラが設けられている。そして、前記ピックアップローラ２０と分離ローラ２１とにより、原稿を１枚ずつ原稿搬送経路１８へ繰り込む原稿繰込部２４が構成されている。これらの搬送ローラ群には、図略の駆動モータから駆動力が伝達されて駆動される。
【００１８】
搬送機構１６は、前記本体部１９の上側を覆って保護するための、合成樹脂製のカバー部材２３を備えている。このカバー部材２３は本体部１９に対して回動自在に備えられており、原稿詰まり等が発生したときは、カバー部材２３を上方へ回動させて鎖線のように開放し、原稿搬送経路１８を露出可能にしている。また、前記ピックアップローラ２０や分離ローラ２１はカバー部材２３側に支持されており、カバー部材２３の開放に伴って原稿搬送経路１８からピックアップローラ２０及び分離ローラ２１を離間させて、ジャム原稿を簡単に除去できるように構成されている。
【００１９】
本体部１９を背面側からみた断面拡大図が図２に示され、この図に示すように、本体部１９には板金製の駆動伝達フレーム（ギア支持体）３１が備えられている。この駆動伝達フレーム３１には多数のギアが支持されており、このギア群によって減速歯車列３２が構成されている。この減速歯車列３２は、本体部１９に備えられた図略の駆動モータの回転を減速して、搬送機構１６の前記搬送ローラ群に伝達するように構成されている。なお本願図面では、ギア群等の各ギアは見易さのためにギア歯を省略して図示されている。
【００２０】
前記駆動伝達フレーム３１のほぼ上端部には繰込出力ギア（駆動ギア）３３が回転自在に支持されている。この繰込出力ギア３３は前記減速歯車列３２の構成要素であり、前記駆動モータによって回転駆動されるようになっている。また、この繰込出力ギア３３の近傍位置において、前記駆動伝達フレーム３１の上縁には凹部３４が形成されている（カバー部材２３の開放状態である図３も併せて参照）。この凹部３４は２つの円弧状の側壁部３５，３６を備え、この２つの側壁部３５，３６の円弧中心は、いずれも前記繰込出力ギア３３の軸心に一致させている。
【００２１】
図２や図３に示すように、前記カバー部材２３には長孔状の支持孔４１が形成され、この支持孔４１に伝達軸４２を介して繰込入力ギア（従動ギア）４３が支持される。そして、前述のピックアップローラ２０及び分離ローラ２１は、この繰込入力ギア４３と伝達軸４２等によって連結されている。また、図３に示すように前記カバー部材２３には係止爪４７が設けられており、この係止爪４７を本体部１９側の図略の係止ピンに係止することで、前記カバー部材２３を閉鎖した状態（図２）でロックできるようになっている。
【００２２】
前記繰込入力ギア４３の軸部にはメタルブッシュ（軸受部）４４が同心させて備えられており、前記カバー部材２３を閉じたときに、図２に示すようにメタルブッシュ４４が前記軸部とともに前記凹部３４内に収容されるようになっている。そして、前記繰込入力ギア４３は、カバー部材２３を閉じたときに繰込出力ギア３３に噛合し、繰込出力ギア３３からの駆動力を入力して前記ピックアップローラ２０及び分離ローラ２１に伝達できるようになっている。
【００２３】
ここで、前記メタルブッシュ４４の直径は、凹部３４において互いに対向配置される側壁部３５，３６の間の距離に等しく設定されている。従って、メタルブッシュ４４が凹部３４内に入り込むと、当該メタルブッシュ４４の外周が２つの側壁部３５，３６に挟まれ、両方の側壁部３５，３６によって案内される。なお、この案内の際、繰込入力ギア４３は長孔状の支持孔４１内で必要に応じて適宜移動する。
【００２４】
そして、このように繰込入力ギア４３をガイドする側壁部３５，３６の円弧中心が前記繰込出力ギア３３の軸心に一致していることから、前記メタルブッシュ４４が凹部３４内に収容された状態では、メタルブッシュ４４が凹部３４内のどの位置にあっても、繰込出力ギア３３と繰込入力ギア４３との軸間距離が一定に保持されることになる。なお、カバー部材２３を閉じた状態では、繰込入力ギア４３の前記側壁部３５，３６に沿う方向の移動は、前記支持孔４１によって規制される。
【００２５】
ここで、前記の側壁部３５，３６の円弧半径は、繰込出力ギア３３と繰込入力ギア４３との軸間距離が、両ギアのピッチ円半径の和となるように設定されている。従って、繰込入力ギア４３は繰込出力ギア３３に対し、常に最適な軸間距離を維持するように側壁部３５，３６によって案内されるので、繰込出力ギア３３と繰込入力ギア４３との最適な噛合状態を確保できる。この結果、両ギア３３，４１の軸間距離が大き過ぎることによる歯飛びや、軸間距離が小さ過ぎることによる駆動時の異音を防止することができる。
【００２６】
以上に説明したように、本実施形態のコピーファクシミリ複合機１０はオートドキュメントフィーダ部１４を備えるとともに、このオートドキュメントフィーダ部１４は、本体部１９と、この本体部１９に備えられる駆動伝達フレーム３１と、この駆動伝達フレーム３１に支持される繰込出力ギア３３と、開閉自在となるように前記本体部１９に支持されるカバー部材２３と、このカバー部材２３に支持されるとともに、当該カバー部材２３を閉じたときに前記繰込出力ギア３３に噛合する繰込入力ギア４３と、を備える。そして、駆動伝達フレーム３１には凹部３４を形成し、この凹部３４には、前記カバー部材２３を閉じたときに前記繰込入力ギア４３の軸部を収容可能に構成されている。そして、凹部３４の輪郭は前記繰込入力ギア４３を案内するための円弧状の側壁部３５，３６を含み、この側壁部３５，３６の円弧中心が前記繰込出力ギア３３の軸心に一致している。
【００２７】
この構成により、カバー部材２３の閉鎖時には繰込入力ギア４３が繰込出力ギア３３に噛合するので、カバー部材２３側の機構（原稿繰込部２４）を本体部１９側の駆動モータによって適切に駆動できるとともに、紙詰まり時等はカバー部材２３を開放することによりメンテナンス作業を簡単に行うことができる。そして、カバー部材２３の閉鎖時には駆動伝達フレーム３１の凹部３４に繰込入力ギア４３の軸部が収容され、この凹部３４の備える円弧状の側壁部３５，３６によって、繰込入力ギア４３が繰込出力ギア３３に対し常に一定の軸間距離となるように案内される。従って、繰込入力ギア４３と繰込出力ギア３３との良好な噛合状態を安定的に確保でき、駆動時に噛合部で歯飛びや異音が発生するのを防止できる。
【００２８】
また、本実施形態において前記凹部３４は２つの円弧状の側壁部３５，３６を有しており、前記カバー部材２３を閉じたときに、繰込入力ギア４３の軸部が、２つの側壁部３５，３６に挟まれるようにして凹部３４に収容される。
【００２９】
この構成により、繰込入力ギア４３の軸部が２つの側壁部３５，３６に挟まれることで、繰込入力ギア４３が繰込出力ギア３３に対し常に一定の軸間距離となるように案内（規制）される。従って、繰込入力ギア４３と繰込出力ギア３３との良好な噛合状態を実現するための簡素な構成が実現される。
【００３０】
更に、本実施形態において前記カバー部材２３は長孔状の支持孔４１を備え、この支持孔４１に前記繰込入力ギア４３が支持されている。また、前記支持孔４１は、前記側壁部３５，３６の円弧に沿う方向の前記繰込入力ギア４３の移動を規制するように形成されている。
【００３１】
この構成により、カバー部材２３を閉じるときには、長孔状の支持孔４１に沿って繰込入力ギア４３を自在に移動させ、繰込入力ギア４３の側壁部３５，３６による案内を妨げないようにすることができる。また、カバー部材２３を完全に閉じた状態（図２）では、繰込入力ギア４３は凹部３４の側壁部３５，３６及び前記支持孔４１によって移動が規制されるので、繰込入力ギア４３の回転時のガタつきを防止して円滑に駆動することができる。
【００３２】
また、本実施形態において、原稿繰込部２４を構成するピックアップローラ２０及び分離ローラ２１は前記カバー部材２３に備えられるとともに、これらのローラ２０，２１は、前記繰込出力ギア３３から前記繰込入力ギア４３に伝達される駆動力によって駆動される。
【００３３】
この構成により、原稿繰込部２４を異音や歯飛びなくスムーズに駆動できるとともに、カバー部材２３の開放時にはピックアップローラ２０や分離ローラ２１が本体から離間するので、原稿繰込部２４で紙詰まりが発生してもジャム原稿を簡単に取り除くことができる。
【００３４】
以上に本発明の好適な実施形態を説明したが、以上の構成は例えば以下のように変更することができる。
【００３５】
原稿繰込部２４の分離ローラ２１等を駆動する構成のほか、例えば原稿繰込部２４以外の駆動ローラ（カバー部材２３側に設置されている駆動ローラ）を駆動する構成にも、上記の実施形態と同様の構成を適用することができる。
【００３６】
駆動伝達フレーム３１の凹部３４には、繰込入力ギア４３の軸部を収容させることに代えて、繰込入力ギア４３を支持する軸（例えば、前記伝達軸４２）を収容させることができる。
【００３７】
長孔状の前記支持孔４１の長手方向は、カバー部材２３を閉じた状態で、前記繰込出力ギア３３の半径方向に沿っていることが望ましい。ただし、円弧状の側壁部３５，３６に沿う方向の繰込入力ギア４３の移動を実質的に規制できる限り、前記支持孔４１の形状は任意に変更することができる。
【００３８】
上記の実施形態の構成は、コピーファクシミリ複合機１０に限らず、例えばコピー機、イメージスキャナ等に適用することができる。
【図面の簡単な説明】
【００３９】
【図１】本発明の一実施形態に係るコピーファクシミリ複合機の全体的な構成を示した正面図。
【図２】オートドキュメントフィーダ部を背面側からみた断面拡大図。
【図３】カバー部材を開放した状態を示す断面拡大図。
【符号の説明】
【００４０】
１０  コピーファクシミリ複合機（画像読取装置）
１１  画像読取部
１４  オートドキュメントフィーダ部（自動原稿送り装置）
１９  本体部（本体）
２０  ピックアップローラ
２１  分離ローラ
２３  カバー部材
２４  原稿繰込部
３１  駆動伝達フレーム（ギア支持体）
３３  繰込出力ギア（駆動ギア）
３４  凹部
３５，３６  側壁部（円弧部）
４３  繰込入力ギア（従動ギア）
【図１】
2008131073.tif 000003
【図２】
2008131073.tif 000004
【図３】
2008131073.tif 000005